【手続補正書】
【提出日】平成16年12月6日(2004.12.6)
【手続補正１】
【補正対象書類名】明細書
【補正対象項目名】特許請求の範囲
【補正方法】変更
【補正の内容】
【特許請求の範囲】
【請求項１】
識別情報を可変表示可能な可変表示装置と、遊技の進行を制御する遊技制御手段と、前記遊技制御手段からの制御信号に基づいて前記可変表示装置を制御する表示制御手段とを備え、前記可変表示装置に可変表示の結果態様として表示される識別情報が特定の表示態様となった場合に所定の遊技価値を付与する遊技機であって、
前記表示制御手段は、
遊技者を撮影する撮像手段と、
前記撮像手段によって撮影された遊技者画像から撮像データを生成する撮像データ生成手段と、
前記撮像データ生成手段が生成した撮像データを記憶する記憶手段と、
前記記憶手段に記憶された撮像データに基づく画像が前記可変表示装置に表示されるように制御する撮像データ表示制御手段と、
前記記憶手段に記憶された撮像データを使用不能にする撮像データ使用不能化手段と、を備え、
前記撮像データ生成手段は、前記識別情報の可変表示の開始に関連して撮像データを生成し、
前記撮像データ使用不能化手段は、前記識別情報の可変表示の結果態様の表示に関連して、前記撮像データを使用不能にすることを特徴とする遊技機。
【請求項２】
前記撮像データ使用不能化手段は、
可変表示終了時に、次の可変表示開始条件が成立する場合には、前記撮像データを使用不能にせず、
可変表示終了時に、次の可変表示開始条件が成立しない場合には、前記撮像データを使用不能にすることを特徴とする請求項１に記載の遊技機。
【請求項３】
前記遊技制御手段は、識別情報の可変表示態様を指示する可変表示コマンド、表示結果としての識別情報を指示する識別情報コマンド、及び、識別情報の結果態様の表示を指示する確定コマンドを、制御信号として送信可能であり、
前記撮像データ生成手段は、前記可変表示コマンド又は前記識別情報コマンドの受信に対応して、撮像データを生成し、
前記撮像データ使用不可能化手段は、前記確定コマンドの受信に対応して、前記撮像データを使用不能にすることを特徴とする請求項１又は２に記載の遊技機。
【請求項４】
識別情報を可変表示可能な可変表示装置と、遊技の進行を制御する遊技制御手段と、前記遊技制御手段からの制御信号に基づいて前記可変表示装置を制御する表示制御手段とを備え、前記可変表示装置に可変表示の結果態様として表示される識別情報が特定の表示態様となった場合に所定の遊技価値を付与する遊技機であって、
前記遊技制御手段は、識別情報の可変表示態様を指示する可変表示コマンド、前記可変表示の結果態様として表示される識別情報を指示する識別情報コマンド、及び、識別情報の結果態様の表示を指示する確定コマンドを、制御信号として送信可能であり、
前記表示制御手段は、
遊技者を撮影する撮像手段と、
前記可変表示コマンド又は前記識別情報コマンドの受信に対応して、前記撮像手段によって撮影された遊技者画像から撮像データを生成する撮像データ生成手段と、
前記撮像データ生成手段が生成した撮像データを記憶する記憶手段と、
前記記憶手段に記憶された撮像データに基づく画像が前記可変表示装置に表示されるように制御する撮像データ表示制御手段と、
前記確定コマンドの受信に対応して、前記記憶手段に記憶された撮像データを使用不能にする撮像データ使用不能化手段と、を備え、
前記撮像データ生成手段は、前記可変表示コマンド又は前記識別情報コマンドの受信に対応して、撮像データの記憶状態を判定し、撮像データが記憶されていない場合に新たに撮像データを生成し、
前記撮像データ使用不能化手段は、可変表示開始条件が所定期間成立しない場合に前記撮像データを使用不能にすることを特徴とする遊技機。
【請求項５】
前記記憶手段は、前記撮像データを使用しない場合に選択される画像データを記憶しており、
前記撮像データ使用不能化手段は、前記撮像データを、前記撮像データが使用されない場合に選択される画像データのいずれかで置き換えることによって、前記撮像データを使用不能にすることを特徴とする請求項１から４のいずれか一つに記載の遊技機。
【手続補正２】
【補正対象書類名】明細書
【補正対象項目名】０００６
【補正方法】変更
【補正の内容】
【０００６】
【課題を解決するための手段】
第１の発明は、識別情報を可変表示可能な可変表示装置と、遊技の進行を制御する遊技制御手段と、前記遊技制御手段からの制御信号に基づいて前記可変表示装置を制御する表示制御手段とを備え、前記可変表示装置に可変表示の結果態様として表示される識別情報が特定の表示態様となった場合に所定の遊技価値を付与する遊技機であって、前記表示制御手段は、遊技者を撮影する撮像手段と、前記撮像手段によって撮影された遊技者画像から撮像データを生成する撮像データ生成手段と、前記撮像データ生成手段が生成した撮像データを記憶する記憶手段と、前記記憶手段に記憶された撮像データに基づく画像が前記可変表示装置に表示されるように制御する撮像データ表示制御手段と、前記記憶手段に記憶された撮像データを使用不能にする撮像データ使用不能化手段と、を備え、前記撮像データ生成手段は、前記識別情報の可変表示の開始に関連して撮像データを生成し、前記撮像データ使用不能化手段は、前記識別情報の可変表示の結果態様の表示に関連して、前記撮像データを使用不能にすることを特徴とする。
【手続補正３】
【補正対象書類名】明細書
【補正対象項目名】０００８
【補正方法】変更
【補正の内容】
【０００８】
第３の発明は、第１又は第２の発明において、前記遊技制御手段は、識別情報の可変表示態様を指示する可変表示コマンド、表示結果としての識別情報を指示する識別情報コマンド、及び、識別情報の結果態様の表示を指示する確定コマンドを、制御信号として送信可能であり、前記撮像データ生成手段は、前記可変表示コマンド又は前記識別情報コマンドの受信に対応して、撮像データを生成し、前記撮像データ使用不可能化手段は、前記確定コマンドの受信に対応して、前記撮像データを使用不能にすることを特徴とする。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
第５の発明は、第１から第４の発明において、前記記憶手段は、前記撮像データを使用しない場合に選択される画像データを記憶しており、前記撮像データ使用不能化手段は、前記撮像データを、前記撮像データが使用されない場合に選択される画像データのいずれかで置き換えることによって、前記撮像データを使用不能にすることを特徴とする。
【手続補正７】
【補正対象書類名】明細書
【補正対象項目名】００１３
【補正方法】変更
【補正の内容】
【００１３】
【発明の作用および効果】
第１の発明では、識別情報を可変表示可能な可変表示装置と、遊技の進行を制御する遊技制御手段と、前記遊技制御手段からの制御信号に基づいて前記可変表示装置を制御する表示制御手段とを備え、前記可変表示装置に可変表示の結果態様として表示される識別情報が特定の表示態様となった場合に所定の遊技価値を付与する遊技機であって、前記表示制御手段は、遊技者を撮影する撮像手段と、前記撮像手段によって撮影された遊技者画像から撮像データを生成する撮像データ生成手段と、前記撮像データ生成手段が生成した撮像データを記憶する記憶手段と、前記記憶手段に記憶された撮像データに基づく画像が前記可変表示装置に表示されるように制御する撮像データ表示制御手段と、前記記憶手段に記憶された撮像データを使用不能にする撮像データ使用不能化手段と、を備え、前記撮像データ生成手段は、前記識別情報の可変表示の開始に関連して撮像データを生成し、前記撮像データ使用不能化手段は、前記識別情報の可変表示の結果態様の表示に関連して、前記撮像データを使用不能にするので、遊技単位で遊技者の撮像データを生成、消去することから、他の遊技単位で撮影された撮像データ（他の遊技者の画像）が当該遊技において表示されることがない。また、遊技中の遊技機に表示される画像が、他の遊技単位で撮影された撮像データ（他の遊技者の画像）であったりする撮像データと遊技者との不一致を防止することができる。従って、撮像データ（遊技者の画像）の表示によって興趣を与えることができるとともに、安心して遊技のできる遊技機を提供することができる。
【手続補正８】
【補正対象書類名】明細書
【補正対象項目名】００１４
【補正方法】変更
【補正の内容】
【００１４】
また、前記撮像データ生成手段は、前記識別情報の可変表示の開始に関連して撮像データを生成し、前記撮像データ使用不能化手段は、前記識別情報の可変表示の結果態様の表示に関連して、前記撮像データを使用不能にするので、撮像データの保持期間が明確となり、安心して遊技のできる遊技機を提供することができる。
【手続補正９】
【補正対象書類名】明細書
【補正対象項目名】００１６
【補正方法】変更
【補正の内容】
【００１６】
第３の発明では、前記遊技制御手段は、識別情報の可変表示態様を指示する可変表示コマンド、表示結果としての識別情報を指示する識別情報コマンド、及び、識別情報の結果態様の表示を指示する確定コマンドを、制御信号として送信可能であり、前記撮像データ生成手段は、前記可変表示コマンド又は前記識別情報コマンドの受信に対応して、撮像データを生成し、前記撮像データ使用不可能化手段は、前記確定コマンドの受信に対応して、前記撮像データを使用不能にするので、遊技制御手段からのコマンドの受信に対応して、撮像データの生成及び消去の制御を行うことから、遊技制御手段の処理負担を軽減することができる。また、遊技制御手段からの指示によって撮像データの生成及び消去の制御タイミングが定まるので、表示制御手段が制御タイミングを計る必要がなく、表示制御手段の処理負担を軽減することができる。
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】０１５０
【補正方法】変更
【補正の内容】
【０１５０】
また、カメラが所定の明暗パターンを検出したときに撮像データを消去する。すなわち、遊技者がカメラ１４４の前面に手をかざし、カメラ１４４に入射する光を遮ることによって、撮像データを消去するので、特別の入力手段を設けることなく、撮像データを消去することができ、遊技者の意志によって遊技者画像を消去して、次の遊技者の遊技中に前の遊技者の画像の表示を防止することができる。